(57)【要約】【課題】ユーザの利便性を考慮した自動エアフィルタ清掃機能付き空気調和機を提供すること。【解決手段】エアフィルタ清掃中に、ユーザによるエアフィルタ清掃停止信号の送信、または開閉式前面パネルが開により、エアフィルタ清掃停止信号を受信すると、直ちに吸引ファンの運転と吸引ノズルの左右移動を直ちに停止する（Ｓｔ６２、Ｓｔ６３）。これにより、ユーザの利便性の向上または安全性の確保が可能となると共に、また吸引力のない時に吸引ノズルを左右移動させないことで吸引孔５０４近傍に付着した塵埃の落下を防止することができる。そしてエアフィルタ清掃が停止すると、吸引孔５０４の位置を記憶する制御となっており（Ｓｔ６４）、これにより次回エアフィルタ清掃時に、今回の続きより開始することが可能となるので、時間を短縮することが可能となる。【選択図】図６
2006132817.tif 000002
【特許請求の範囲】
【請求項１】
開閉式前面グリルと空気中の塵埃を捕集するエアフィルタと、前記フィルタに沿って室内機の左右方向に移動可能な吸引ノズルであって吸引ノズルの長手方向に移動可能な吸引孔を有した吸引ノズルと、吸引ダクトと、吸引ファンと、排気ダクトとを有し、前記吸引ノズルと吸引ダクトと吸引ファンと排気ダクトを順次連結し、吸引孔から吸引したごみを排気ダクトより排出する機能を有し、エアフィルタ清掃時に吸引孔よりごみを吸引しながら吸引ノズルを左右方向に移動、または吸引孔を吸引ノズルの長手方向に移動して掃除場所を変えエアフィルタ清掃を実行する空気調和機において、エアフィルタ清掃を停止させるための操作手段を具備し、前記操作手段による停止信号を受信した時、直ちに吸引ファンを吸引用所定回転数以下または停止する制御手段を具備することを特徴とする空気調和機。
【請求項２】
吸引ノズルの左右方向移動中にエアフィルタ清掃停止信号を受信した時、前記吸引ノズルを直ちにその位置に停止させる制御手段を具備したことを特徴とする、請求項1に記載の空気調和機。
【請求項３】
吸引孔が吸引ノズルの長手方向に移動中にエアフィルタ清掃停止信号を受信した時、前記吸引孔を直ちにその位置に停止させる制御手段を具備したことを特徴とする、請求項1に記載の空気調和機。
【請求項４】
ユーザによって前記開閉式前面グリルを開けられたことが、エアフィルタ清掃を停止させるための操作手段の一つであることを特徴とする、請求項１〜３のいずれかに記載の空気調和機。
【請求項５】
エアフィルタ清掃停止信号を受信し、エアフィルタ清掃を直ちに停止した際、前記吸引ノズルに対して長手方向の前記吸引孔の位置または長手方向に移動を開始する直前の吸引孔の位置を記憶する機能を有したことを特徴とする、請求項１〜４のいずれかに記載の空気調和機。
【発明の詳細な説明】
【技術分野】
【０００１】
本発明は空気調和機に関するものであり、さらに具体的にはエアフィルタの自動清掃に関するものである。
【背景技術】
【０００２】
従来の空気調和機のエアフィルタ清掃機能に関しては、図８に示すような、フィルタ上を自在に移動可能なごみ吸引部からフィルタ上のごみを吸引ファンにより吸引し、吸引ダクトを介してごみ収納部にごみを収納するという発明がなされている（例えば、特許文献１参照）。
【特許文献１】特開２００２−３４０３９５号公報
【発明の開示】
【発明が解決しようとする課題】
【０００３】
しかしながら、従来のエアフィルタ清掃機能を有した空気調和機では、フィルタ全面の掃除を行おうとすると非常に多くの時間を要し、またユーザがエアフィルタ清掃を直ちに停止する手段がなかった。
【０００４】
つまりユ−ザが騒音などの理由でエアフィルタ清掃を途中で停止させたい時に、エアフィルタ清掃完了するまで非常に長い時間待っていなければならないといった問題があった。
【０００５】
また従来の空気調和機では、ユーザが前面グリルを開け、動作しているエアフィルタ清掃装置に直接触れられる状態であっても、エアフィルタ清掃を停止する手段がないため、ユーザへの安全性が確保できていないという課題があった。
【０００６】
本発明は前記従来の課題を解決するもので、ユーザの利便性を考慮した自動エアフィルタ清掃機能付き空気調和機を提供することを目的とする。
【課題を解決するための手段】
【０００７】
前記従来の課題を解決するために、本発明の空気調和機は、開閉式前面グリルと空気中の塵埃を捕集するエアフィルタと、前記フィルタに沿って室内機の左右方向に移動可能な吸引ノズルであって吸引ノズルの長手方向に移動可能な吸引孔を有した吸引ノズルと、吸引ダクトと、吸引ファンと、排気ダクトとを有し、前記吸引ノズルと吸引ダクトと吸引ファンと排気ダクトを順次連結し、吸引孔から吸引したごみを排気ダクトより排出する機能を有し、エアフィルタ清掃時に吸引孔よりごみを吸引しながら吸引ノズルを左右方向に往復させ、その後吸引孔を吸引ノズルの長手方向に移動して掃除場所を変えエアフィルタ清掃を実行する空気調和機において、エアフィルタ清掃を停止させるための操作手段を具備し、前記操作手段による停止信号を受信した時、直ちに吸引ファンを吸引用所定回転数以下または停止する制御手段を具備するものである。
【０００８】
これによって、前記吸引機能、つまりエアフィルタ清掃機能を直ちに停止し、ユ−ザが騒音などの理由でエアフィルタ清掃を停止させたい時に直ちに停止することが可能となり、ユーザの利便性を向上さすことが可能である。
【発明の効果】
【０００９】
本発明の空気調和機は、エアフィルタ清掃中に直ちにエアフィルタ清掃を停止することができ、ユーザの利便性を向上させることができる。
【発明を実施するための最良の形態】
【００１０】
第１の発明は、開閉式前面グリルと空気中の塵埃を捕集するエアフィルタと、前記フィルタに沿って室内機の左右方向に移動可能な吸引ノズルであって吸引ノズルの長手方向に移動可能な吸引孔を有した吸引ノズルと、吸引ダクトと、吸引ファンと、排気ダクトとを有し、前記吸引ノズルと吸引ダクトと吸引ファンと排気ダクトを順次連結し、吸引孔から吸引したごみを排気ダクトより排出する機能を有し、エアフィルタ清掃時に吸引孔よりごみを吸引しながら吸引ノズルを左右方向に往復させ、その後吸引孔を吸引ノズルの長手方向に移動して掃除場所を変えエアフィルタ清掃を実行する空気調和機において、エアフィルタ清掃を停止させるための操作手段を具備し、前記操作手段による停止信号を受信した時、直ちに吸引ファンを吸引用所定回転数以下または停止する制御手段を具備することにより、吸引機能、つまりエアフィルタ清掃機能を直ちに停止することで、ユ−ザが騒音などの理由でエアフィルタ清掃を停止させたい時に直ちに停止することができ、ユーザの利便性を向上させることができる。
【００１１】
第２の発明は、特に第1の発明において、前記吸引ノズルの左右方向移動中にエアフィルタ清掃停止信号を受信した時、前記吸引ノズルを直ちにその位置に停止させる制御手段を具備することにより、吸引ノズルが左右移動時に発生する騒音を防ぐことで、ユーザの利便性を更に向上さすことが可能である。また、吸引ファンを吸引用所定回転数以下または停止させることにより吸引力不足となるため、前記左右移動時に発生する微少の振動により、吸引孔近傍に付着した塵埃が落下しやすくなるが、前記吸引孔をその位置で停止することで防止できる。
【００１２】
第３の発明は、特に第1の発明において、前記吸引孔が吸引ノズルの長手方向に移動中にエアフィルタ清掃停止信号を受信した時、前記吸引孔を直ちにその位置に停止させる制御手段を具備することで、前記吸引孔が前記吸引ノズルの長手方向移動時に発生する騒音を防ぐことで、ユーザの利便性を更に向上さすことが可能である。
【００１３】
また、吸引ファンを吸引用所定回転数以下または停止させることにより吸引力不足となるため、前記長手方向移動時に発生する微少の振動により、吸引孔近傍に付着したゴミを塵埃が落下しやすくなるが、前記吸引孔をその位置で停止することで防止できる。
【００１４】
第４の発明は特に第１から第３の発明において、ユーザによって前記開閉式前面グリルを開けられたことが、エアフィルタ清掃を停止させるための操作手段の一つであることにより、動作しているエアフィルタ清掃装置に直接触れることを防止でき、ユーザへの安全性を確保することが可能となる。
【００１５】
第５の発明は、特に第１の発明から第５の発明において、前記エアフィルタ清掃停止信号を受信し、エアフィルタ清掃を直ちに停止した際、前記吸引ノズルに対して長手方向の前記吸引孔の位置または長手方向に移動を開始する直前の吸引孔の位置を記憶する機能を有することにより、次回エアフィルタ清掃を開始する際にたとえ吸引孔の位置がずれていても、最初から掃除する必要がなく、前回掃除場所の次の位置から掃除を開始することでき、エアフィルタ清掃時間を短縮することが可能となる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における空気調和機のエアフィルタ清掃ユニットを示した図であり、図２はエアフィルタ清掃ユニットの設置位置を示した図である。
【００１８】
これら図において１はエアフィルタ清掃ユニットであり、熱交換器２０２を通過する空気の塵埃を除去するエアフィルタは、フィルタ枠１０１と、フィルタ網１０２から構成され、そのエアフィルタの表面に沿って移動可能な吸引ノズル１０３が設けられる。吸引ノズル１０３はフィルタ枠の上下端に設置されたガイドレール１０４により、エアフィルタと一定の距離を保って円滑に左右に移動することができる。
【００１９】
吸引ノズル１０３には吸引ダクト１０５が連結され、さらに吸引ダクト１０５は吸引ファン１０６に連結される。吸引ダクト１０５は吸引ノズル１０３の移動に差し支えないように折り曲げ可能なダクトで形成される。
【００２０】
さらに、吸引ファン１０６には排気ダクト１０７が連結され、室外へ引き回される。エアフィルタ上に付着した塵埃は吸引ノズル１０３より吸引され、さらに、吸引ダクト１０５、吸引ファン１０６、排気ダクト１０７を経由して室外へ排出される。
【００２１】
この構成においては、フィルタ装置を一般家庭用の小型空気調和機に内蔵するに際して吸引ファンの小型化、小出力化を図る必要があるため、小風量で強い吸引力を発揮できるようにしなければならず、吸引ノズル１０３は吸引を一部分に絞って吸引力を強め、その位置を切り換えることでフィルタ全面を清掃する手段を用いている。
【００２２】
また、図３は吸引ノズルの構造例であるが、吸引ノズル本体３０１にはエアフィルタ全長に相当する長いスリット状の開口部３０２を設け、さらに、この開口部３０２に沿って駆動可能なベルト３０３に吸引孔３０４を設けることで開口部３０２の一部分のみから吸引でき、かつ、ベルト３０３を駆動することで吸引する場所を可変することができようにしている。また、ベルト３０３は吸引ノズル本体３０１に沿わせるため、吸引ノズル本体３０1と一体で形成された（溶着や接着によって一体に形成される）ベルトガイド３０５によって覆われている。
【００２３】
こうした構成により、小さい風量でも小さな吸引孔に絞られるので吸引孔の風速は増大し、小型の吸引ファンでも強い吸引力を発揮することが可能となる。
【００２４】
エアフィルタ全面の清掃には図４に示すように、吸引ノズル４０１のベルト４０２を駆動して吸引孔４０３の位置を変え、吸引ノズル４０１をエアフィルタ４０４に沿って左右に駆動することで吸引孔４０３を図中の矢印に示すようなスイープ動作させて全面を清掃することができる。
【００２５】
図４においては、吸引孔４０３はエアフィルタ全長の１／４の長さにされており、図中矢印に示すような２往復のスイープ動作にてエアフィルタ全面を清掃する。
【００２６】
次に制御回路の構成を図５に示す。制御部５０１は本空気調和機の全般の制御を行なっており、この制御部１７には吸引ファン５０２、吸引ノズル５０３、吸引孔５０４、開閉式前面グリル２０２と受信部５０６が接続されている。
【００２７】
開閉式前面グリル５０５が制御部と接続していることで、開閉式前面グリル５０６が開か閉かを認識できようになっている。
【００２８】
また受信部１８はリモートコントロール式の操作器５０７から送信される赤外光線を受信する。
【００２９】
リモートコントロール式の操作器１９(以下リモコン)には、エアフィルタ清掃中止信号
を発信することが可能であるボタンを具備している。
【００３０】
以上のように構成されたエアフィルタ清掃機能付き空気調和機について、以下その動作、作用を説明する。
【００３１】
図６はエアフィルタ清掃中にエアフィルタ清掃停止信号を受信した際の制御を示したフローチャートである。
【００３２】
エアフィルタ清掃中に吸引ファン５０２が運転かつ吸引ノズル５０３が左右に移動している際に(Ｓｔ６１)、エアフィルタ清掃停止信号を受信すると、直ちに吸引ファン５０２の運転と吸引ノズル５０３の左右移動を直ちに停止する（Ｓｔ６２、Ｓｔ６３）。
【００３３】
このエアフィルタ清掃中止信号とは、リモコン５０７によってエアフィルタ清掃停止信号が送信されたか、ユーザにより開閉式前面パネル５０５が開かれたことによるものである。
【００３４】
そしてエアフィルタ清掃が停止すると、吸引孔５０４の位置を記憶する制御となっている（Ｓｔ６４）。
【００３５】
以上のように、本実施の形態において、ユ−ザが騒音などの理由でエアフィルタ清掃停止信号を送信した際または開閉式前面グリルを開けた際に、直ちにエアフィルタ清掃を停止することにより、ユーザの利便性の向上または安全性の確保が可能となる。
【００３６】
また吸引力のない時に吸引ノズル５０３を左右移動させないことで吸引孔５０４近傍に付着した塵埃の落下を防止することができる。
【００３７】
更に停止時に吸引孔の位置を記憶することで、次回エアフィルタ清掃時にたとえ吸引孔の位置がずれていても、位置を記憶している為、前回の続きより開始することが可能となるので、時間を短縮することが可能となる。
【００３８】
（実施の形態２）
第２の実施の形態について、図７のエアフィルタ清掃中にエアフィルタ清掃停止信号を受信した際の制御を示したフローチャートで説明する（エアフィルタ清掃ユニット、吸引ノズルなどの構成は実施の形態１と同様であるので省略する）。
【００３９】
エアフィルタ清掃中に吸引ファン５０２が運転かつ吸引孔５０４が吸引ノズル５０３に対して長手方向に移動している際に(Ｓｔ７１)、エアフィルタ清掃停止信号を受信すると、直ちに吸引ファン５０２の運転と吸引孔５０４の移動を直ちに停止する（Ｓｔ７２、Ｓｔ７３）。
【００４０】
このエアフィルタ清掃中止信号とは、リモコン５０７によってエアフィルタ清掃停止信号が送信されたか、ユーザにより開閉式前面パネル５０５が開かれたことによるものである。そしてエアフィルタ清掃が停止すると、吸引孔５０４の位置を記憶する制御となっている（Ｓｔ７４）。
【００４１】
以上のように、本実施の形態において、ユ−ザが騒音などの理由でエアフィルタ清掃停止信号を送信した際または開閉式前面グリルを開けた際に、直ちにエアフィルタ清掃を停止することにより、ユーザの利便性の向上または安全性の確保が可能となる。
【００４２】
また吸引力のない時に吸引孔５０４を吸引ノズルに対して長手方向に移動させないこと
で吸引孔５０４近傍に付着した塵埃の落下を防止することができる。
【００４３】
更に停止時に吸引孔の位置を記憶することで、次回エアフィルタ清掃時にたとえ吸引孔の位置がずれていても、位置を記憶している為、前回の続きより開始することが可能となるので、時間を短縮することが可能となる。
【産業上の利用可能性】
【００４４】
以上のように、本発明にかかる空気調和機は、エアフィルタ清掃停止信号を受信すると直ちにエアフィルタ清掃を停止するとともに、前回清掃位置を記憶することで次回清掃時間を短縮することができ、ユーザの利便性を向上することが可能となるので、種々の自動エアフィルタ清掃機能付き空気調和機の用途にも適用できる。
【図面の簡単な説明】
【００４５】
【図１】本発明の実施の形態１におけるエアフィルタ清掃ユニットの構成図
【図２】本発明の実施の形態１における室内ユニットの構成図
【図３】本発明の実施の形態１における吸引ノズルの構成図
【図４】本発明の実施の形態１における全面エアフィルタ清掃方法を示す図
【図５】本発明の実施の形態１における制御回路のブロック図
【図６】本発明の実施の形態１におけるエアフィルタ清掃停止時のフローチャート
【図７】本発明の実施の形態２におけるエアフィルタ清掃停止時のフローチャート
【図８】従来の自動エアフィルタ清掃付き空気調和機の構成図
【符号の説明】
【００４６】
１００  エアフィルタ清掃ユニット
１０１  フィルタ枠
１０２  フィルタ網
１０３  吸引ノズル
１０４  ガイドレール
１０５  吸引ダクト
１０６  吸引ファン
１０７  排気ダクト
２０２  熱交換器
３０１  吸引ノズル本体
３０２  開口部
３０３  ベルト
３０４  吸引孔
３０５  ベルトガイド
４０１  吸引ノズル
４０２  ベルト
４０３  吸引孔
４０４  エアフィルタ
５０１  制御部
５０２  吸引ファン
５０３  吸引ノズル
５０４  吸引孔
５０５  開閉式前面グリル
５０６  受信部
５０７  リモコン
【図１】
2006132817.tif 000003
【図２】
2006132817.tif 000004
【図３】
2006132817.tif 000005
【図４】
2006132817.tif 000006
【図５】
2006132817.tif 000007
【図６】
2006132817.tif 000008
【図７】
2006132817.tif 000009
【図８】
2006132817.tif 000010